(57)【要約】【課題】簡単な操作でポートレイト風の画像に編集することが可能な画像出力受付端末などを提供する。【解決手段】画像出力受付端末１は、利用者によって入力された画像データから処理対象画像データが指定され（Ｓ１０１）、ポートレイト処理が指示されると（Ｓ１０３）、処理対象画像データの中の人物の顔画像を抽出する（Ｓ１０４）。抽出された人物の中から、特定人物の目位置が指定されると（Ｓ１０８）、画像出力受付端末１は、特定人物画像の輪郭を抽出し（Ｓ１０９）、人物の目位置を中心に輪郭に向かって作成された鮮鋭化フィルタを輪郭内の画像領域に適用する（Ｓ１１０）。画像出力受付端末１は、輪郭外の画像領域に平滑化処理を適用する（Ｓ１１４）。特定外人物が指定されると（Ｓ１１９）、画像出力受付端末１は、特定外人物の輪郭内の画像領域に平滑化処理を適用する（Ｓ１２０）。【選択図】図５
2014010788.tif 000002
【特許請求の範囲】
【請求項１】
画像データの入力を制御する入力制御手段と、
前記画像データから人物の顔を認識して抽出する人物画像抽出手段と、
前記人物画像抽出手段にて抽出された人物画像の中から、特定人物画像を受け付ける特定人物画像受付手段と、
前記特定人物画像受付手段にて受け付けられた前記特定人物画像の輪郭を抽出する特定人物輪郭抽出手段と、
前記特定人物輪郭抽出手段にて抽出された輪郭内の画像領域について、鮮鋭化処理を施す特定人物画像鮮鋭化処理手段と、
を備えることを特徴とする画像出力受付端末。
【請求項２】
前記特定人物画像受付手段は、
更に前記特定人物画像の目位置を受け付け、
前記特定人物画像鮮鋭化処理手段は、
前記特定人物画像受付手段にて受け付けられた前記特定人物画像の目位置を中心に鮮鋭化処理を施すこと
を特徴とする請求項１に記載の画像出力受付端末。
【請求項３】
前記特定人物輪郭抽出手段にて抽出された輪郭外の画像領域について、平滑化処理を施す背景画像平滑化処理手段
を備えることを特徴とする請求項１または請求項２に記載の画像出力受付端末。
【請求項４】
前記人物画像抽出手段にて抽出された人物画像の中から、特定外人物画像を受け付ける特定外人物画像受付手段と、
前記特定外人物画像受付手段にて受け付けられた前記特定外人物画像に平滑化処理を施す特定外人物画像平滑化処理手段と、
を備えることを特徴とする請求項１から請求項３のいずれか１項に記載の画像出力受付端末。
【請求項５】
前記特定外人物画像受付手段は、
更に前記特定外人物画像の目位置を受け付け、
前記特定外人物画像平滑化処理手段は、
前記特定外人物画像受付手段にて受け付けられた前記特定外人物画像の目位置を中心に平滑化処理を施すこと
を特徴とする請求項４に記載の画像出力受付端末。
【請求項６】
前記特定人物輪郭抽出手段は、輪郭を特定人物の顔部分から特定人物の体全体にまで調整する特定人物輪郭調整手段
を更に備えることを特徴とする請求項１から請求項５のいずれか１項に記載の画像出力受付端末。
【請求項７】
前記画像データの画像ポイントを算出する画像ポイント算出手段と、
前記画像データから前記画像ポイントが低い前記画像データを指定して、前記画像ポイントを調整する画像ポイント調整手段と、
前記画像ポイント算出手段により算出された前記画像ポイントの高い画像データを抽出して画像リストを作成する画像リスト作成手段と、
前記画像データおよび前記画像リストをページにレイアウトするレイアウト手段と、
前記画像リスト中の画像データから人物の顔を認識し、人物画像リストを作成する人物画像リスト作成手段と、
前記人物画像リスト中の人物画像データの、前記ページ上における露出ポイントを算出する露出ポイント算出手段と、
前記レイアウト手段によりレイアウトされた前記ページ上に、前記人物画像リストおよび前記露出ポイントを配置し、その表示を制御する表示制御手段と、
を更に備え、
前記画像ポイントは、少なくとも写真ポイントを含み、
前記画像ポイント調整手段は、前記特定人物画像鮮鋭化処理手段によって、前記画像ポイントが低い人物の人物画像に鮮鋭化処理を施し、前記写真ポイントを上げることを特徴とする請求項１から請求項６のいずれか１項に記載の画像出力受付端末。
【請求項８】
画像データの入力を制御する入力制御ステップと、
前記画像データから人物の顔を認識して抽出する人物画像抽出ステップと、
前記人物画像抽出ステップにて抽出された人物画像の中から、特定人物画像を受け付ける特定人物画像受付ステップと、
前記特定人物画像受付ステップにて受け付けられた前記特定人物画像の輪郭を抽出する特定人物輪郭抽出ステップと、
前記特定人物輪郭抽出ステップにて抽出された輪郭内の画像領域について、鮮鋭化処理を施す特定人物画像鮮鋭化処理ステップと、
を含むことを特徴とする画像出力受付方法。
【請求項９】
画像データの入力を制御する入力制御ステップと、
前記画像データから人物の顔を認識して抽出する人物画像抽出ステップと、
前記人物画像抽出ステップにて抽出された人物画像の中から、特定人物画像を受け付ける特定人物画像受付ステップと、
前記特定人物画像受付ステップにて受け付けられた前記特定人物画像の輪郭を抽出する特定人物輪郭抽出ステップと、
前記特定人物輪郭抽出ステップにて抽出された輪郭内の画像領域について、鮮鋭化処理を施す特定人物画像鮮鋭化処理ステップと、
をコンピュータに実行させるためのプログラム。
【発明の詳細な説明】
【技術分野】
【０００１】
本発明は、画像データの印刷を行う画像出力受付端末および画像出力受付方法、並びにプログラム等に関するものである。
【背景技術】
【０００２】
近年、利用者が所有する記憶媒体に記憶されている画像データの印刷を行う画像印刷システムが広く普及している。利用者は、画像印刷システムの画像出力受付端末を操作することにより、デジタルカメラ等で撮影した画像データを印刷することや、複数の印刷物が製本されたフォトブックを作成することができる。
【０００３】
ところで、人物を中心に撮影する場合、撮影した画像データを、目的の人物のみにピントが合ったポートレイト風の写真に、簡単に編集したいという要望がある。
【０００４】
特許文献１には、撮影した画像データに対して、手間が掛からずに、モザイク処理、デジタルぼかし処理、トリミング処理等の画像処理ができる電子カメラが提案されている。
【先行技術文献】
【特許文献】
【０００５】
【特許文献１】特開２０１０−２１９２１号公報
【発明の概要】
【発明が解決しようとする課題】
【０００６】
撮影した画像をポートレイト風の写真に編集する方法として、利用者は、撮影した画像データを利用者が所有するコンピュータなどに取り込み、専用の画像処理ソフトを利用して画像データを編集する方法がある。しかしながら、手間が掛かる上に、一般の利用者には難易度が高い。
【０００７】
特許文献１では、手間が掛からずに、撮影した画像データを編集するデジタルカメラが提案されているが、細かな画像処理ができない。そのため、一般の利用者がポートレイト風の写真に編集することは難しい。また、一眼レフタイプのデジタルカメラの中には、ぼかしコントロールをタッチパネル上で行う等、簡単にポートレイト風の写真に編集できるものがあるが、一部の高価な機種に限られる。
【０００８】
本発明は、前述した問題点に鑑みてなされたもので、その目的とすることは、簡単な操作でポートレイト風の画像に編集することが可能な画像出力受付端末等を提供することである。
【課題を解決するための手段】
【０００９】
前述の課題を解決するために第１の発明は、画像データの入力を制御する入力制御手段と、前記画像データから人物の顔を認識して抽出する人物画像抽出手段と、前記人物画像抽出手段にて抽出された人物画像の中から、特定人物画像を受け付ける特定人物画像受付手段と、前記特定人物画像受付手段にて受け付けられた前記特定人物画像の輪郭を抽出する特定人物輪郭抽出手段と、前記特定人物輪郭抽出手段にて抽出された輪郭内の画像領域について、鮮鋭化処理を施す特定人物画像鮮鋭化処理手段と、を備えることを特徴とする画像出力受付端末である。
これにより、一般の利用者が簡単な操作で目的の人物のポートレイト風の写真を作成して、プリントすることが可能になる。
【００１０】
また、前記特定人物画像受付手段は、更に前記特定人物画像の目位置を受け付け、前記特定人物画像鮮鋭化処理手段は、前記特定人物画像受付手段にて受け付けられた前記特定人物画像の目位置を中心に鮮鋭化処理を施すことが望ましい。
これにより、高度な顔認識処理を行わずに、一般の利用者が簡単な操作で目的の人物の目にピントが合ったポートレイト風の写真を作成して、プリントすることが可能になる。
【００１１】
また、前記特定人物輪郭抽出手段にて抽出された輪郭外の画像領域について、平滑化処理を施す背景画像平滑化処理手段を備えることが望ましい。
これにより、目的の人物を際立たせた、より自然なポートレイト風の写真を作成することが可能になる。
【００１２】
前記人物画像抽出手段にて抽出された人物画像の中から、特定外人物画像を受け付ける特定外人物画像受付手段と、前記特定外人物画像受付手段にて受け付けられた前記特定外人物画像に平滑化処理を施す特定外人物画像平滑化処理手段と、を備えること望ましい。
これにより、目的以外の人物の顔に自然なぼかしをかけることができ、目的の人物のみを際立たせた、より自然なポートレイト風の写真を作成することができる。更に、背景に意図しない人物が写った写真をプリントして配布したい場合には、個人情報トラブルを回避することも可能になる。
【００１３】
また、前記特定外人物画像受付手段は、更に前記特定外人物画像の目位置を受け付け、前記特定外人物画像平滑化処理手段は、前記特定外人物画像受付手段にて受け付けられた前記特定外人物画像の目位置を中心に平滑化処理を施すことが望ましい。
これにより、目的以外の人物の顔により自然なぼかしをかけることができる。
【００１４】
また、前記特定人物輪郭抽出手段は、輪郭を特定人物の顔部分から特定人物の体全体にまで調整する前記特定人物輪郭調整手段を更に備えることが望ましい。
これにより、複数の人物が写った写真においては、目的の人物の体全体を強調するなど、写真の構図に応じて鮮鋭化処理を施す画像領域を調整でき、より自然なポートレイト風の写真を作成することが可能になる。
【００１５】
また、前記画像データの画像ポイントを算出する画像ポイント算出手段と、前記画像データから前記画像ポイントが低い前記画像データを指定して、前記画像ポイントを調整する画像ポイント調整手段と、前記画像ポイント算出手段により算出された前記画像ポイントの高い画像データを抽出して画像リストを作成する画像リスト作成手段と、前記画像データおよび前記画像リストをページにレイアウトするレイアウト手段と、前記画像リスト中の画像データから人物の顔を認識し、人物画像リストを作成する人物画像リスト作成手段と、前記人物画像リスト中の人物画像データの、前記ページ上における露出ポイントを算出する露出ポイント算出手段と、前記レイアウト手段によりレイアウトされた前記ページ上に、前記人物画像リストおよび前記露出ポイントを配置し、その表示を制御する表示制御手段と、を更に備え、前記画像ポイントは、少なくとも写真ポイントを含み、前記画像ポイント調整手段は、前記特定人物画像鮮鋭化処理手段によって、前記画像ポイントが低い人物の人物画像に鮮鋭化処理を施し、前記写真ポイントを上げることが望ましい。
これにより、登場人物の露出度が同じになるように自動レイアウトを行うことができ、更に、画像ポイントが低い人物の人物画像に鮮鋭化処理を施すことで、写真ポイントを上げることが可能になる。
【００１６】
第２の発明は、画像データの入力を制御する入力制御ステップと、前記画像データから人物の顔を認識して抽出する人物画像抽出ステップと、前記人物画像抽出ステップにて抽出された人物画像の中から、特定人物画像を受け付ける特定人物画像受付ステップと、前記特定人物画像受付ステップにて受け付けられた前記特定人物画像の輪郭を抽出する特定人物輪郭抽出ステップと、前記特定人物輪郭抽出ステップにて抽出された輪郭内の画像領域について、鮮鋭化処理を施す特定人物画像鮮鋭化処理ステップと、を含むことを特徴とする画像出力受付方法である。
これにより、一般の利用者が簡単な操作で目的の人物のポートレイト風の写真を作成して、プリントすることが可能になる。
【００１７】
第３の発明は、画像データの入力を制御する入力制御ステップと、前記画像データから人物の顔を認識して抽出する人物画像抽出ステップと、前記人物画像抽出ステップにて抽出された人物画像の中から、特定人物画像を受け付ける特定人物画像受付ステップと、前記特定人物画像受付ステップにて受け付けられた前記特定人物画像の輪郭を抽出する特定人物輪郭抽出ステップと、前記特定人物輪郭抽出ステップにて抽出された輪郭内の画像領域について、鮮鋭化処理を施す特定人物画像鮮鋭化処理ステップと、をコンピュータに実行させるためのプログラムである。
これにより、一般の利用者が簡単な操作で目的の人物のポートレイト風の写真を作成して、プリントすることが可能になる。
【発明の効果】
【００１８】
本発明により、簡単な操作でポートレイト風の画像に編集することが可能な画像出力受付端末、画像出力受付方法、およびプログラムを提供することができる。
【図面の簡単な説明】
【００１９】
【図１】本発明の実施の形態に係る画像出力受付端末の外観斜視図
【図２】画像出力受付端末のハードウエアの構成例を示すブロック図
【図３】製本機のハードウエアの構成例を示すブロック図
【図４】画像出力受付端末内のコンピュータの機能構成例を示すブロック図
【図５】第１の実施形態におけるポートレイト処理を説明するフローチャート
【図６】第１の実施形態における編集項目選択画面の一例を示す図
【図７】第１の実施形態におけるポートレイト編集画面の一例を示す図
【図８】第１の実施形態における特定人物画像の顔の輪郭抽出を説明する図
【図９】第１の実施形態における特定人物画像の人物全体の輪郭抽出を説明する図
【図１０】第１の実施形態における図８の輪郭内の画像領域に対する人物画像鮮鋭化処理を説明する図
【図１１】第１の実施形態における図９の輪郭内の画像領域に対する人物画像鮮鋭化処理を説明する図
【図１２】第１の実施形態におけるプレビュー画像確認画面の一例を示す図
【図１３】第２の実施形態における編集部の更に詳細な機能構成例を示すブロック図
【図１４】第２の実施形態における露出調整処理を説明するフローチャート
【図１５】第２の実施形態における編集画面の一例を示す図
【図１６】第２の実施形態における個別ポイント確認画面の一例を示す図
【図１７】第２の実施形態における露出度設定画面の一例を示す図
【発明を実施するための形態】
【００２０】
以下、図面に基づいて、本発明の実施形態を詳細に説明する。
【００２１】
図１は、本発明の実施の形態に係る画像出力受付端末１の外観斜視図である。
【００２２】
画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを入力し、内部に保持する。
【００２３】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart
Media（登録商標）、MEMORY STICK（登録商標）、USB（Universal Serial Bus）メモリ等である。
【００２４】
携帯端末は、例えば、スマートフォン、iPhone（登録商標）、カメラ付き携帯電話機、iPad（登録商標）、携帯型パーソナルコンピュータ等である。通信方法は、例えば、blue tooth（登録商標）、IR（赤外線通信）等である。
【００２５】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００２６】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２７】
画像出力受付端末１の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００２８】
レシート取出口１５、硬貨投入口１６、紙幣挿入口１７、つり銭返却口１８は、利用者による印刷物の注文内容に応じた入金を要求する課金手段として機能する。利用者は、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００２９】
印刷物取出口１９には、画像出力受付端末１の筐体内に設置されるプリンタにより印刷された印刷物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００３０】
次に、画像出力受付端末１の基本的動作について説明する。
【００３１】
画像出力受付端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択する。
【００３２】
本実施の形態において、印刷注文の内容には、「通常印刷」と「フォトブック」の２種類がある。「通常印刷」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
【００３３】
利用者は、タッチパネル付ディスプレイ１１に表示された画面上で、印刷注文する画像データを選択した後、印刷の実行を指示すると、画像出力受付端末１内のコンピュータが内部プリンタに画像データを転送する。
【００３４】
また利用者は、印刷注文する画像の画像データを、インターネット等のネットワークを介して、利用者などが所有する汎用のコンピュータや、利用者が管理するホームページ等のサーバに送信することも可能である。
【００３５】
画像出力受付端末１は、利用者に印刷物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷された印刷物は、印刷物取出口１９から排出され、利用者に提供される。
【００３６】
また、画像出力受付端末１は、「フォトブック」を作成する場合、印刷された印刷物を内部製本機に搬送し、印刷物を所定の製本方法で製本する。製本されたフォトブックは、図示せぬフォトブック取出口から排出され、利用者に提供される。
【００３７】
更に、本発明は、その場で印刷物を受け取る場合に限られず、いわゆる「オンラインプリント」にも適用可能である。
「オンラインプリント」とは、利用者などが所有するコンピュータから同様の手順によって印刷物の発注を行い、業者が印刷された印刷物を郵送して、利用者が受け取るというものである。
本発明を「オンラインプリント」に適用する場合、後述する図５に示す処理を実行する為のプログラムを、利用者などが所有する汎用のコンピュータにインストールすることによって同様に実現することができる。すなわち、画像出力受付端末１とは、図５に示す処理を実行する為のプログラムがインストールされた汎用のコンピュータも含むものである。
また、後述する図５に示す処理を実行する為のプログラムを、業者が所有するサーバにインストールするようにしても良い。この場合、利用者は、利用者などが所有する汎用のコンピュータから、インターネット等のネットワークを介して業者のサーバにアクセスし、インターネット閲覧ソフト等の画面から印刷物の発注を行う。
【００３８】
なお、画像出力受付端末１は、料金算出、レシート（引換券）の発行を行うだけでなく、課金機を装備しているため、利用者に入金を要求して現金による課金処理を行うようにすることもできる。
【００３９】
図２は、画像出力受付端末１のハードウエアの構成例を示すブロック図である。
【００４０】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８、および製本機５０を制御する。
【００４１】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００４２】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００４３】
プログラムのコードは、制御部３１により必要に応じて読み出され、RAMに移され、CPUに読み出されて各種機能として実行される。
【００４４】
入出力部３３は、記憶部３２に格納されているプログラム等の更新や、画像出力受付端末１の設定等を行うメンテナンス時に用いられる。
【００４５】
通信部３４は、通信制御装置、通信ポート等を有し、画像出力受付端末１と図示せぬネットワーク間の通信を媒介する通信インターフェースである。通信部３４は、ネットワークを介して画像出力受付端末１と他の外部装置間の通信制御を行う。
【００４６】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００４７】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００４８】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００４９】
レシートジャーナル処理部４７は、レシート取出口１５に対応して画像出力受付端末１内部に設けられ、利用者の徴収金額や注文内容に応じたレシートを印刷する。
【００５０】
プリンタ４８は、印刷物取出口１９に対応して画像出力受付端末１内部に設けられ、印刷物を印刷する。プリンタ４８は、画像データを印刷する高解像度カラープリンタであり、熱転写プリンタあるいはインクジェット型など、プリンタの方式は特に問わない。印刷する記録媒体は、シート状またはロール状の紙である。
【００５１】
製本機５０は、ローラや搬送路等を有し、プリンタ４８で印刷された印刷物を所定の製本方法で製本しフォトブック等の製本物を作成して出力する。
【００５２】
なお、プリンタ４８は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。
また、製本機５０も、画像出力受付端末１内部に設けられ、そこで製本が行われるが、これに限らず、例えば、図示せぬ搬送路を介して接続された外部の製本機に印刷物を搬送し、そこで製本を行わせるようにしてもよい。
すなわち、画像出力受付端末１と、プリンタ４８、製本機５０はそれぞれ別体であってもよい。
【００５３】
図３は、製本機５０のハードウエアの構成例を示すブロック図である。
【００５４】
製本機５０は、印刷物を折りたたむ折り機構５１、印刷物をホチキスや製本テープ、背表紙、糊等で綴じる綴じ機構５２、印刷物を化粧断裁する裁断機構５３等を備えるものを用いることができる。これらの機構としては、既知のものを使用できる。フォトブックの製本方法の詳細については、特開２０１０−１３７５６４号公報等に記載されている通り公知の技術である。
【００５５】
図４は、画像出力受付端末１内のコンピュータ３０の機能構成例を示すブロック図である。図４に示す機能部のうちの少なくとも一部は、図２の制御部３１により画像印刷プログラムが実行されることによって実現される。
【００５６】
入力制御部６１は、各種メディア読取部４１で読み込まれた画像データや通信部４２で読み込まれた画像データの入力を制御する。
【００５７】
なお、画像入力手段としては、メディア投入口１２にメモリカードを挿入し、そこからデータを読み込む以外にも、以下の２つの方法がある。
１．インターネットを介して、オンラインアルバムサーバから読み込む。
２．インターネットを介して、オンラインアルバムサーバからスマートフォン等の携帯端末がダウンロードし、更に、近距離通信によって、スマートフォン等から読み込む。
【００５８】
表示制御部６２は、入力制御部６１に入力された画像データの一覧表示画面、画像データの印刷サービスを利用者に提供するための画像出力サービス案内画面等の各種画面のモニタ４４上への表示を制御する。
【００５９】
画像受付部６３は、モニタ４４に表示されている画像データの一覧表示画面において、利用者による画像の選択を受け付ける。
【００６０】
編集部６４は、利用者により印刷する画像の編集が行われた場合、入力制御部６１に入力された編集内容を表わす入力データに基づいて、印刷情報を更新（編集）する。編集部６４のさらに詳細な機能構成例は、図１３を参照して後述する。
【００６１】
課金部６５は、印刷注文に応じた料金を算出し、その算出結果をモニタ４４に表示させ、利用者に支払いを要求する。また課金部６５は、コインメック４５やビルバリ４６の金銭の入出力を管理する。
【００６２】
印刷実行部６６は、課金部６５によって課金処理が完了すると、印刷対象の画像データを所定位置に配した後、印刷データに変換し、印刷データの印刷を実行する。
【００６３】
〔第１の実施形態〕
図５〜図１２を参照しながら、第１の実施形態について説明する。第１の実施形態では、「通常印刷」にて印刷注文を行う一例について説明する。
【００６４】
図５は、画像出力受付端末１のポートレイト処理を説明するフローチャートである。ポートレイト処理は、各種メディア読取部４１より画像データが入力され、入力された画像データが、画像出力受付端末１の制御部３１を介して画像出力受付端末１の記憶部３２に記憶される場合に実行される処理である。
【００６５】
画像出力受付端末１の制御部３１は、編集項目選択画面６７（図６参照）をモニタ４４に表示し、利用者から、編集対象の画像データの選択を受け付ける（ステップＳ１０１）。
【００６６】
図６は、編集項目選択画面６７の一例を示す図である。
編集項目選択画面６７には入力画像リスト６８が配置される。入力画像リスト６８は、画像出力受付端末１の記憶部３２に記憶される画像データのリストである。図６に示す例では、入力画像リスト６８に、７枚の画像データのサムネイル画像が表示されている。入力画像リスト６８の左右に配置されたボタン６９Ｒ、６９Ｌは、記憶部３２に記憶される他の画像データのサムネイル画像を表示する場合に、利用者によってタッチ操作される。入力画像リスト６８の中から、所望の画像データが利用者によって指定される。
【００６７】
画像出力受付端末１の制御部３１は、ステップＳ１０１にて受け付けた画像データ（以下、処理対象画像データと表記）を編集項目選択画面６７の処理対象画像表示領域７０に配置して、モニタ４４に表示する（ステップＳ１０２）。
編集項目選択画面６７には、画像の明るさを調整する明るさ調整ボタン７２ａや、画像のサイズを調整するサイズ調整ボタン７２ｂや、画像をポートレイト風の写真に編集するポートレイトボタン７２ｃなど、各種編集項目に対応するボタンが設けられる。
なお、処理対象画像データの編集が行われた場合、画像出力受付端末１の制御部３１は、編集内容に基づいて随時、処理対象画像データを更新して、記憶部３２に記憶させるものとする。
【００６８】
画像出力受付端末１の制御部３１は、利用者から、ポートレイトボタン７２ｃの選択を受け付けると（ステップＳ１０３）、公知の顔認識技術を用いて、処理対象画像データの中の人物の顔画像を抽出する（ステップＳ１０４）。制御部３１は、処理対象画像データから人物の顔画像が抽出されるか否かを判断する（ステップＳ１０５）。
【００６９】
人物の顔画像が抽出されない場合（ステップＳ１０５のＮｏ）、画像出力受付端末１の制御部３１は、人物の顔画像が抽出されないことを利用者に知らせるメッセージ画面（図示せず）をモニタ４４に表示し、利用者から、編集対象の画像データの選択を再度受け付ける。人物の顔画像が抽出される場合（ステップＳ１０５のＹｅｓ）、制御部３１は、ポートレイト編集画面７５（図７参照）をモニタ４４に表示する（ステップＳ１０６）。
【００７０】
図７は、ポートレイト編集画面７５の一例を示す図である。ポートレイト編集画面７５には、ステップＳ１０４にて抽出された人物の顔画像の領域を点線で表示する処理対象画像データが、人物抽出画像表示領域７８に配置される。
【００７１】
画像出力受付端末１の制御部３１は、利用者から、ステップＳ１０４にて抽出された人物の中から特定人物の指定を受け付けて（ステップＳ１０７）、特定人物の目位置（目と目の間）の指定を受け付けると（ステップＳ１０８）、特定人物画像の輪郭を抽出する（ステップＳ１０９）。制御部３１は、特定人物画像の輪郭を、人物抽出画像表示領域７８上に点線で表示する。
【００７２】
またステップＳ１０８にて、画像出力受付端末１の制御部３１は、特定人物について公知の顔認識処理を実行することで、特定人物の目位置を特定しても良い。
【００７３】
ステップＳ１０９にて抽出された輪郭は、ポートレイト編集画面７５に設けられた輪郭調整ボタン７３が利用者によりタッチ操作されることで、自由に調整することができる。画像出力受付端末１の制御部３１は、利用者から、輪郭拡大ボタン７３ａの選択を受け付けると、輪郭を特定の人物の体全体に向かって段階的に広げ、輪郭縮小ボタン７３ｂの選択を受け付けると、輪郭を特定の人物の目位置に向かって段階的に狭める。
【００７４】
利用者により、輪郭調整ボタン７３がタッチ操作されると、図８に示すように、特定人物画像の顔の輪郭を抽出することができる。同様にして、図９に示すように、特定人物画像の人物全体の輪郭を抽出することができる。
【００７５】
また、ポートレイト編集画面７５には、編集画面移行ボタン７４と、戻るボタン７６と、進むボタン７７が設けられる。画像出力受付端末１の制御部３１は、編集画面移行ボタン７４のタッチ操作を検知すると、モニタ４４に編集項目選択画面６７を表示する。画像出力受付端末１の制御部３１は、戻るボタン７６のタッチ操作を検知すると、１つ前の操作による処理に戻る。
画像出力受付端末１の制御部３１は、進むボタン７７のタッチ操作を検知すると、人物画像鮮鋭化処理に進む（ステップＳ１１０）。
画像出力受付端末１の制御部３１は、利用者から、特定人物の指定を受け付けず、進むボタン７７のタッチ操作を検知すると（ステップＳ１０６のＮｏ）、ステップＳ１０４にて抽出された全ての人物の顔画像について、輪郭を自動で抽出して、人物画像鮮鋭化処理に進む。
【００７６】
また、ステップＳ１０４にて複数の人物の顔画像が抽出される場合、画像出力受付端末１の制御部３１は、ステップＳ１０６からステップＳ１０９を繰り返して、利用者から、複数の特定人物の指定を受け付ける。
【００７７】
続いて、人物画像鮮鋭化処理について説明する。
画像出力受付端末１の制御部３１は、ステップＳ１０８にて指定された特定人物の目位置を中心に、ステップＳ１０９にて抽出された輪郭に向かって、グラデーションマップを作成する。
【００７８】
図１０は、図８の輪郭内の画像領域に対して作成されたグラデーションマップ８１である。また図１１は、図９の輪郭内の画像領域に対して作成されたグラデーションマップ８２である。
【００７９】
画像出力受付端末１の制御部３１は、任意の鮮鋭化フィルタを作成する。鮮鋭化フィルタとは、例えば、処理対象画像データをそのまま出力するフィルタと、ラプラシアンフィルタの差分によって得られる画像フィルタである。制御部３１は、鮮鋭化フィルタにグラデーションマップ（図１０、図１１参照）に対応するグラデーション値を掛け合わして新たな鮮鋭化フィルタを作成し、ステップＳ１０９にて抽出された輪郭内の画像領域に適用する。輪郭境界線近傍の画像領域には、任意の平均化フィルタを適用する。これにより、輪郭線に多少のずれがあっても、自然な仕上がりの処理が可能となる。
なお、画像出力受付端末１の制御部３１は、ステップＳ１０７で利用者から特定人物の指定を受け付けず、人物画像鮮鋭化処理を実行する場合（ステップＳ１０６のＮｏ）、鮮鋭化フィルタをそのまま、ステップＳ１０９にて抽出された輪郭内の画像領域に適用する。
画像出力受付端末１の制御部３１は、人物画像鮮鋭化処理を適用した処理対象画像データのプレビュー画像を作成する。
【００８０】
また、画像出力受付端末１の制御部３１は、ステップＳ１０８にて特定人物の目位置の指定を受け付けずに人物画像鮮鋭化処理を実行することもできる。その場合は、鮮鋭化フィルタをそのまま、ステップＳ１０９にて抽出された輪郭内の画像領域に適用する。
【００８１】
画像出力受付端末１の制御部３１は、プレビュー画像が配置された確認画面（図示せず）をモニタ４４に表示する（ステップＳ１１１）。
画像出力受付端末１の制御部３１は、利用者から確認画面に設けられたＯＫボタン（図示せず）の選択を検知すると（ステップＳ１１２のＹｅｓ）、背景画像平滑化処理に進む（ステップＳ１１４）。
画像出力受付端末１の制御部３１は、確認画面に設けられたやり直しボタン（図示せず）の選択を検知すると（ステップＳ１１２のＮｏ）、鮮鋭化の度合いを変更する鮮鋭値変更画面（図示せず）をモニタ４４に表示する。画像出力受付端末１の制御部３１は、利用者から鮮鋭値の変更を受け付けると（ステップＳ１１３）、ステップＳ１１０に戻る。
【００８２】
鮮鋭化の度合いを変更する手段として、制御部３１は、例えば、ステップＳ１１０で用いたラプラシアンフィルタに、０より大きい任意の定数値（以下、鮮鋭値と表記）を乗じた新たなラプラシアンフィルタを作成する。鮮鋭値を大きくすると、鮮鋭化の度合いが増す。
鮮鋭値は、鮮鋭値変更画面に設けられたバー（図示せず）などによって、利用者によって指定されることができ、利用者の好みに合った画像に仕上げることができる。
【００８３】
続いて、背景画像平滑化処理について説明する。
画像出力受付端末１の制御部３１は、任意の平均化フィルタを作成し、ステップＳ１０９にて抽出された輪郭外の画像領域について、平均化フィルタを適用する。平均化フィルタとは、例えば、任意の定数（以下、平滑値と表記）によって囲まれる画素領域（例えば、３×３画素、５×５画素など）内の画素数の平均値を算出して、各画素それぞれに算出された平均値をもつ画像フィルタである。
画像出力受付端末１の制御部３１は、背景画像平滑化処理を適用した処理対象画像データのプレビュー画像８３を作成する。
【００８４】
画像出力受付端末１の制御部３１は、背景画像平滑化処理を適用した処理対象画像データのプレビュー画像８３が配置されたプレビュー画像確認画面８４をモニタ４４に表示する（ステップＳ１１６）。
【００８５】
図１２は、プレビュー画像８３が配置されたプレビュー画像確認画面８４の一例を示す。
画像出力受付端末１の制御部３１は、プレビュー画像確認画面８４に設けられたＯＫボタン８５の選択を検知すると（ステップＳ１１６のＹｅｓ）、処理対象画像データから、Ｓ１０９にて輪郭抽出された人物以外の、人物の顔画像が抽出されるか否かを判断する。抽出されない場合には、制御部３１は、編集項目選択画面６７を、モニタ４４に表示する。抽出される場合には、制御部３１は、特定外人物画像平滑化処理移行確認画面（図示せず）をモニタ４４に表示する（ステップＳ１１８）。
画像出力受付端末１の制御部３１は、プレビュー画像確認画面８４に設けられたやり直しボタン８６の選択を検知すると（ステップＳ１１６のＮｏ）、平滑化の度合いを変更する平滑値変更画面（図示せず）をモニタ４４に表示する。画像出力受付端末１の制御部３１は、利用者から平滑値の変更を受け付けると（ステップＳ１１７）、ステップＳ１１４に戻る。
【００８６】
平滑化の度合いを変更する手段として、画像出力受付端末１の制御部３１は、例えば、ステップＳ１１４で用いた平均化フィルタの平滑値を変更した新たな平均化フィルタを作成する。平滑値を大きくすると、平滑化の度合いが増す。
平滑値は、平滑値変更画面に設けられたバー（図示せず）などによって、利用者によって指定することができ、利用者の好みに合った画像に仕上げることができる。
【００８７】
画像出力受付端末１の制御部３１は、特定外人物画像平滑化処理移行確認画面に配置される実行ボタン（図示せず）の選択を検知すると（ステップＳ１１８のＹｅｓ）、特定外人物を指定する特定外人物指定画面（図示せず）をモニタ４４に表示する。特定外人物指定画面には、ステップＳ１１８にて抽出された人物の顔画像の領域を点線で表示する処理対象画像データが配置される。
画像出力受付端末１の制御部３１は、特定外人物画像平滑化処理移行確認画面に配置される戻るボタン（図示せず）の選択を検知すると（ステップＳ１１８のＮｏ）、編集項目選択画面６７をモニタ４４に表示する。
【００８８】
続いて、特定外人物画像平滑化処理について説明する。
画像出力受付端末１の制御部３１は、利用者から、ステップＳ１１８にて抽出された人物の中から、特定外人物の指定を受け付けて（ステップＳ１１９）、特定外人物の目位置（目と目の間）の指定を受け付けると、特定外人物の輪郭を抽出し、特定外人物画像平滑化処理を行う（ステップＳ１２０）。
制御部３１は、指定された特定外人物の目位置を中心に、抽出された輪郭に向かって、グラデーションマップを作成する。
続いて、制御部３１は、任意の平均化フィルタを作成する。平均化フィルタにグラデーションマップに対応するグラデーション値を掛け合わして、輪郭内の画像領域に適用する。
画像出力受付端末１の制御部３１は、特定外人物画像平滑化処理を適用した処理対象画像データのプレビュー画像を作成する。
【００８９】
また、画像出力受付端末１の制御部３１は、特定外人物の目位置の指定を受付けずに、特定外人物画像平滑化処理を実行しても良い。その場合は、平均化フィルタをそのまま特定外人物の輪郭内の画像領域に適用する。
【００９０】
画像出力受付端末１の制御部３１は、特定外人物画像平滑化処理を適用した処理対象画像データのプレビュー画像が配置された確認画面（図示せず）をモニタ４４に表示する（ステップＳ１２１）。
画像出力受付端末１の制御部３１は、確認画面に設けられたＯＫボタン（図示せず）の選択を検知すると（ステップＳ１２２のＹｅｓ）、編集項目選択画面６７をモニタ４４に表示する（ステップＳ１２４）。
画像出力受付端末１の制御部３１は、確認画面に設けられたやり直しボタン（図示せず）の選択を検知すると（ステップＳ１２２のＮｏ）、平滑化の度合いを変更する平滑値変更画面（図示せず）をモニタ４４に表示する。制御部３１は、利用者から平滑値の変更を受け付けると（ステップＳ１２３）、ステップＳ１１８に戻る。
平滑値は、平滑値変更画面に設けられたバー（図示せず）などによって、利用者によって指定することができ、利用者の好みに合った画像に仕上げることができる。
【００９１】
以上のようなポートレイト処理を行った後、利用者によって、印刷実行が指示されると、画像出力受付端末１の制御部３１は、印刷対象の画像データを印刷データに変換し、印刷データをプリンタ４８に送信し、印刷を指示する。印刷された印刷物は、印刷物取出口１９から排出され、利用者に提供される。
【００９２】
更に、前述したように、本発明は、その場で印刷物を受け取る場合に限られず、「オンラインプリント」にも適用可能である。「オンラインプリント」の場合、利用者が、自宅などに設置されているコンピュータから同様の手順によって印刷物の発注を行い、郵送によって印刷物が提供される。
【００９３】
以上、第１の実施形態によれば、目的の人物の画像データに対してポートレイト処理を適用することによって、目的の人物のみを際立たせた、自然なポートレイト風の写真を作成することができる。更に、目的以外の人物の顔に自然なぼかしをかけることで、背景に意図しない人物が写った写真をプリントして配布したい場合や、前述したようにポートレイト処理を施した画像データをネットワーク上のホームページ等に掲載する場合には、個人情報トラブルを回避することも可能になる。
【００９４】
〔第２の実施形態〕
図１３〜図１７を参照しながら、第２の実施形態について説明する。第２の実施形態では、「フォトブック」にて印刷注文を行う一例について説明する。
【００９５】
図１３は、図４の編集部６４の更に詳細な機能構成例を示すブロック図である。
【００９６】
画像ポイント算出部９１は、入力制御部６１に入力された画像データの画像ポイントを算出する。画像ポイントには、登場ポイント、領域ポイント、笑顔ポイント、および写真ポイントがある。
登場ポイントは、公知の顔認識技術を用いて、入力された画像データ中の人物（顔画像）を抽出し、人物毎の登場回数をポイント化したものである。
領域ポイントは、公知の顔認識技術を用いて、画像データ中の顔の大きさ（領域）を抽出し、人物毎の全画像領域における顔の大きさの割合をポイント化したものである。
笑顔ポイントは、公知の笑顔認識技術を用いて、画像データ中の人物が笑顔かどうかを認識し、どのくらい笑っているかをポイント化したものである。
写真ポイントは、顔領域にピントが合っていることでよく撮れた画像中の人物毎の登場回数をポイント化したものである。
【００９７】
つまり、画像ポイント算出部９１は、公知の技術を用いて、登場ポイント、領域ポイント、笑顔ポイント、および写真ポイントを算出する。
【００９８】
画像リスト作成部９２は、画像ポイント算出部９１で算出された画像ポイントの高い画像データを抽出し、画像リストを作成する。画像データの抽出方法は、所定の閾値以上の画像ポイントを有する画像データを抽出したり、あるいは、画像ポイントの高い順に所定枚数の画像データを抽出したりしてもよく、特に問わない。
【００９９】
登場人物リスト作成部９３は、画像リスト作成部９２で作成された画像リストの中から人物の顔を認識し、人物画像リストを作成する。
【０１００】
自動レイアウト部９４は、所定の自動レイアウト方法に基づいて、画像リスト作成部９２で作成された画像リスト、登場人物リスト作成部９３で作成された人物画像リスト、および画像群を自動レイアウトする。自動レイアウト方法は、例えば、フォトブックに掲載する写真枚数やレイアウト枠が予め指定されている状態で、ほぼ同じ位の大きさで、かつ、ピントが合っている顔領域を有する画像が複数存在する場合、集合写真を優先的に大きい枠に配置したり、笑顔ポイントや写真ポイントの高い人物が登場する画像を優先して配置したり、登場人物の露出度が同じになるようにする。
【０１０１】
人物リスト登録部９５は、編集画面１００（図１５参照）に表示された人物画像リストにおいて、利用者による人物名の登録を受け付ける。
【０１０２】
露出ポイント算出部９６は、自動レイアウト部９４によりレイアウトされた状態で、人物毎の露出ポイントを算出する。具体的には、次式（１）に示すように、レイアウト後の画像データの拡大・縮小サイズにより、元の画像データ上で算出された画像ポイントに任意の係数をかけて露出ポイントを算出する。なお、係数ａ、ｂ、ｃ、ｄは、調整係数であり、利用者が任意に調整可能である。
露出ポイント＝（ａ×領域ポイント）＋（ｂ×写真ポイント）＋（ｃ×笑顔ポイント）＋（ｄ×登場ポイント）      ・・・（１）
【０１０３】
つまり、露出ポイントとは、領域ポイント、写真ポイント、笑顔ポイント、登場ポイントに所定の調整係数が掛けられたものである。
【０１０４】
露出度調整部９７は、編集画面１００（図１５参照）に表示された登場人物毎の露出度を、所定の調整方法に基づいて自動調整したり、利用者による調整指示に基づいて調整したりする。露出度とは、登場人物毎の全ページにおける登場割合である。
【０１０５】
通常編集部９８は、編集画面１００（図１５参照）にレイアウトされた状態で、利用者によるポートレイト処理（図５参照）を含む通常の編集の指示を受け付ける。
通常編集部９８は、特定の登場人物の画像について、図５に示す人物画像鮮鋭化処理を施すことで、特定の登場人物の写真ポイントを上げる。これにより、写真ポイントが低い特定の登場人物の写真ポイントを上げることができ、登場人物の露出度が同じになるようにフォトブックを編集することができる。
【０１０６】
次に、図１４のフローチャートを参照して、画像出力受付端末１の露出調整処理について説明する。この処理は、画像出力受付端末１の各種メディア読取部４１より画像データが入力され、入力された画像データが、画像出力受付端末１の制御部３１を介して画像出力受付端末１の記憶部３２に記憶される場合に実行される処理である。
【０１０７】
画像出力受付端末１の制御部３１（表示制御部６２）は、利用者によりフォトブック作成の指示を受付ける指示画面（図示せず）をモニタ４４に表示する。画像出力受付端末１の制御部３１（画像ポイント算出部９１）は、フォトブック作成が指示されると、記憶部３２に記憶される画像データの画像ポイント（登場ポイント、領域ポイント、笑顔ポイント、および写真ポイント）を算出する。画像出力受付端末１の制御部３１（画像リスト作成部９２）は、算出された画像ポイントの高い画像データを抽出する（ステップＳ２０１）。
【０１０８】
画像出力受付端末１の制御部３１（画像リスト作成部９２）は、ステップＳ２０１の処理で抽出された画像データを用いて画像リストを作成する（ステップＳ２０２）。
【０１０９】
画像出力受付端末１の制御部３１（自動レイアウト部９４）は、所定のレイアウト方法に基づいて、ステップＳ２０２の処理で作成された画像リスト、および画像群を自動レイアウトする（ステップＳ２０３）。
自動レイアウト方法は、前述したように、予め指定された写真枚数を掲載するレイアウト枠に、集合写真を優先的に大きい枠に配置したり、笑顔ポイントや写真ポイントの高い人物が登場する画像を優先して配置したり、登場人物の露出度が同じになるようにする。
【０１１０】
画像出力受付端末１の制御部３１（表示制御部６２）は、登場人物の露出調整を行った後で通常の編集を行うか、露出調整を行わずそのまま通常の編集を行うかを利用者に選択させる選択画面（図示せず）をモニタ４４に表示する（ステップＳ２０４）。
画像出力受付端末１の制御部３１（編集部６４）は、登場人物の露出調整を行う編集方法が選択されたことを検知すると（ステップＳ２０４のＹｅｓ）、ステップＳ２０５に進む。
画像出力受付端末１の制御部３１（表示制御部６２）は、登場人物の露出調整を行わない編集方法が選択されたことを検知すると（ステップＳ２０４のＮｏ）、編集項目選択画面６７（図６参照）をモニタ４４に表示する（ステップＳ２１４）。
【０１１１】
画像出力受付端末１の制御部３１（登場人物リスト作成部９３）は、ステップＳ２０２の処理で作成された画像リスト中の画像データから人物の顔を認識する（ステップＳ２０５）。
画像出力受付端末１の制御部３１（登場人物リスト作成部９３）は、ステップＳ２０５の処理で認識された顔画像データを用いて人物画像リストを作成する（ステップＳ２０６）。
【０１１２】
画像出力受付端末１の制御部３１（表示制御部６２）は、人物画像リスト画面（図示せず）をモニタ４４に表示する。
画像出力受付端末１の制御部３１（人物リスト登録部９５）は、利用者により、人物画像リスト画面で所定の人物画像が選択され、人物名の登録が行われたことを検知すると、人物リストを更新する（ステップＳ２０７）。
【０１１３】
画像出力受付端末１の制御部３１（露出ポイント算出部９６）は、ステップＳ２０３の処理で自動レイアウトされた状態で、ステップＳ２０６、Ｓ２０７の処理でリストアップされた人物画像データの露出ポイントを、上記式（１）に従って算出する（ステップ２０８）。
【０１１４】
画像出力受付端末１の制御部３１（表示制御部６２）は、モニタ４４に編集画面１００（図１５参照）を表示する（ステップＳ２０９）。
【０１１５】
図１５は、編集画面１００の表示例を示す図である。
【０１１６】
図１５に示すように、編集画面１００には、ステップＳ２０２の処理で作成された画像リスト１０１、ステップＳ２０６、Ｓ２０７の処理で作成された人物画像リスト１０２、ステップＳ２０３の処理で自動レイアウトされたフォトブックの見開き１ページ分の現在編集中のレイアウト１０３、レイアウト１０３にレイアウトされている画像データのサムネイル画像のレイアウトリスト１０４が表示されている。
【０１１７】
図１５に示す例では、画像リスト１０１に、４枚の画像データのサムネイル画像が表示されている。画像リスト１０１の上下に配置されたボタン１０５Ｕ、１０５Ｄは、画像リスト中の他の画像データのサムネイル画像を表示する場合に、利用者によってタッチ操作される。
【０１１８】
図１５に示す例では、人物画像リスト１０２に、「あらたくん」の名前が付された人物画像Ｐ１、「だいごくん」の名前が付された人物画像Ｐ２、「ななちゃん」の名前が付された人物画像Ｐ３、「けいちゃん」の名前が付された人物画像Ｐ４、「りきくん」の名前が付された人物画像Ｐ５が表示されている。各人物画像Ｐ１〜Ｐ５の下方には、現在の露出ポイントが２段組みで表示されている。上段の露出ポイントは、フォトブックの全ページの合計露出ポイントを示し、下段の露出ポイントは、現在編集中の見開き１ページ分のみの露出ポイントを示している。人物画像リスト１０２の左右に配置されたボタン１０６Ｒ、１０６Ｌは、人物画像リスト中の他の人物画像を表示する場合に、利用者によってタッチ操作される。
【０１１９】
レイアウト１０３には、見開き１ページ分のレイアウト枠に画像データが自動レイアウトされた現在編集中のページが表示されている。レイアウト１０３の左右に配置されたボタン１０７Ｒ、１０７Ｌは、前後の見開き１ページ分のレイアウトを表示する場合に、利用者によってタッチ操作される。またレイアウト１０３上には、登場人物の顔認識領域を示すマーク１０８、１０９が表示されている。マーク１０８、１０９は、人物毎に異なる図形や色等が用いられる。
【０１２０】
また編集画面１００には、個別ポイント確認ボタン１１０および露出度設定ボタン１１１が配置されている。個別ポイント確認ボタン１１０は、個別ポイント確認画面１２０（図１６参照）を表示する場合に、利用者によってタッチ操作される。露出度設定ボタン１１１は、露出度設定画面１４０（図１７参照）を表示する場合に、利用者によってタッチ操作される。
【０１２１】
利用者は、図１５に示す編集画面１００において、人物画像Ｐ１〜Ｐ５の下方に表示された２段組みの露出ポイントを確認することで、各ページに満遍なく各登場人物の画像がレイアウトされているか否かを確認することができる。
【０１２２】
また利用者は、図１５に示す編集画面１００において、レイアウト１０３に配置済みの画像を画像リスト１０１の中にある画像と交換したり、あるいは、拡大・縮小してサイズ調整したりして露出ポイントを手動で変更することができる。
また、画像出力受付端末１の制御部３１（表示制御部６２）は、利用者からレイアウト１０３に配置済みの画像データの中から特定画像を受け付け、ポートレイト編集画面移行ボタン１１２が選択されたことを検知すると、人物画像リストに登録される人物の顔画像の領域を点線で表示する特定画像データが人物抽出画像表示領域７８に配置されるポートレイト編集画面７５（図７参照）を表示する。
【０１２３】
図１４の説明に戻る。画像出力受付端末１の制御部３１（編集部６４）は、利用者により、図１５に示す編集画面１００で、個別ポイント確認ボタン１１０または露出度設定ボタン１１１が選択されたことを検知したか否かを判定する（ステップＳ２１０）。
いずれかのボタンの選択を検知した場合（ステップＳ２１０のＹｅｓ）、画像出力受付端末１の制御部３１は、ステップＳ２１１に進む。いずれのボタンの選択も検知しない場合（ステップＳ２１０のＮｏ）、画像出力受付端末１の制御部３１（表示制御部６２）は、編集項目選択画面６７（図６参照）をモニタ４４に表示する（ステップＳ２１４）。
【０１２４】
画像出力受付端末１の制御部３１（表示制御部６２）は、モニタ４４に個別ポイント確認画面１２０または露出度設定画面１４０を表示する（ステップＳ２１１）。
【０１２５】
まず、個別ポイント確認画面１２０の表示例について説明する。例えば、利用者により、編集画面１００において、人物画像リスト１０２の中から「あらたくん」の名前が付された人物画像Ｐ１が選択され、個別ポイント確認ボタン１１０がタッチ操作されると、画像出力受付端末１の表示制御部６２は、モニタ４４に個別ポイント確認画面１２０を表示する。
【０１２６】
図１６は、個別ポイント確認画面１２０の表示例を示す図である。
【０１２７】
図１６に示すように、個別ポイント確認画面１２０には、「あらたくん」の名前が付された人物画像Ｐ１、人物画像Ｐ１の露出ポイントの詳細を示すポイント群１２１、配置済みの登録画像リスト１２２、未配置の登録画像リスト１２３、読込画像リスト１２４が表示されている。
【０１２８】
配置済みの登録画像リスト１２２は、「あらたくん」の名前が付された人物画像Ｐ１として認識されている画像データであって、フォトブックのいずれかのページに配置済みの画像データのリストである。配置済みの登録画像リスト１２２には、３枚の画像データのサムネイル画像が表示されている。配置済みの登録画像リスト１２２の左右に配置されたボタン１２５Ｒ、１２５Ｌは、配置済みの他の画像データのサムネイル画像を表示する場合に、利用者によってタッチ操作される。
【０１２９】
未配置の登録画像リスト１２３は、「あらたくん」の名前が付された人物画像Ｐ１として認識されている画像データであって、フォトブックのいずれのページにも配置されていない画像データのリストである。未配置の登録画像リスト１２３には、３枚の画像データのサムネイル画像が表示されている。未配置の登録画像リスト１２３の左右に配置されたボタン１２６Ｒ、１２６Ｌは、未配置の他の画像データのサムネイル画像を表示する場合に、利用者によってタッチ操作される。
【０１３０】
読込画像リスト１２４は、「あらたくん」の名前が付された人物画像Ｐ１として認識されていない画像データのリストである。読込画像リスト１２４には、３枚の画像データのサムネイル画像が表示されている。読込画像リスト１２４の左右に配置されたボタン１２７Ｒ、１２７Ｌは、他の画像データのサムネイル画像を表示する場合に、利用者によってタッチ操作される。
【０１３１】
未配置の登録画像リスト１２３の上方に配置された追加ボタン１２８は、未配置の登録画像リスト１２３の中から所望の画像を追加配置したい場合に、利用者によってタッチ操作される。読込画像リスト１２４の上方に配置された追加ボタン１２９は、読込画像リスト１２４の中から所望の画像を追加配置したい場合に、利用者によってタッチ操作される。
【０１３２】
配置済の登録画像リスト１２２、未配置の登録画像リスト１２３のサムネイル画像上には、「あらたくん」の名前が付された人物画像Ｐ１の顔認識領域を示すマーク１３０が表示されている。
【０１３３】
また個別ポイント確認画面１２０には、戻るボタン１３１も表示されている。戻るボタン１３１は、編集画面１００（図１５）に戻る場合に、利用者によってタッチ操作される。
【０１３４】
利用者は、図１６に示す個別ポイント確認画面１２０において、「あらたくん」の名前が付された人物画像Ｐ１の露出ポイントの詳細を確認することができる。
【０１３５】
また、利用者は、未配置の登録画像リスト１２３の中から、所望のサムネイル画像を選択し、追加ボタン１２８をタッチ操作することで、その画像が配置済みの登録画像リスト１２２に追加される。
同様に、利用者は、読込画像リスト１２４の中から、認識されていない「あらたくん」の顔画像を有する画像を選択し、追加ボタン１２９をタッチ操作することで、その画像がフォトブックに配置済みであれば配置済みの登録画像リスト１２２に追加され、未配置であれば未配置の登録画像リスト１２３に追加される。
このような操作によって、画像出力受付端末１の制御部３１（自動レイアウト部９４）は、編集画面１００のレイアウト情報を更新する。画像出力受付端末１の制御部３１（露出ポイント算出部９６）は、露出ポイントを再計算する。
【０１３６】
次に、露出度設定画面１４０の表示例について説明する。例えば、利用者により、編集画面１００において、露出度設定ボタン１１１がタッチ操作されると、画像出力受付端末１の制御部３１（表示制御部６２）は、モニタ４４に露出度設定画面１４０を表示する。
【０１３７】
図１７は、露出度設定画面１４０の表示例を示す図である。
【０１３８】
図１７に示すように、露出度設定画面１４０には、編集画面１００の人物画像リスト１０２とリンクされた人物画像リスト１４１が表示されている。人物画像リスト１４１には、「あらたくん」の名前が付された人物画像Ｐ１、「だいごくん」の名前が付された人物画像Ｐ２、「ななちゃん」の名前が付された人物画像Ｐ３、「けいちゃん」の名前が付された人物画像Ｐ４、「りきくん」の名前が付された人物画像Ｐ５が表示されている。各人物画像Ｐ１〜Ｐ５の下方には、フォトブックの全ページの合計露出ポイントが表示されている。図１７の例では、「７０ポイント」が太字で示され、「３０ポイント」が白抜き文字で示され、露出ポイントが多い・少ないが警告表示されている。なお、警告の表示方法は、これに限らず、利用者が視認可能なフォント、色、またはデザイン等を用いることができる。
【０１３９】
さらに各露出ポイントの下方には、登場人物毎に目標とする露出度（全ページにおける登場割合）を変更するための露出度設定部（図１７の例では、２０％）が表示されている。露出度設定部は、図示せぬプルダウンメニューによって選択式で数値を入力したり、あるいは、図示せぬソフトウェアキーボードを表示して直接数値を入力したりすることができる。人物画像リスト１４１の左右に配置されたボタン１４２Ｒ、１４２Ｌは、人物画像リスト１４１中の他の人物画像を表示する場合に、利用者によってタッチ操作される。
【０１４０】
また露出度設定画面１４０には、自動調整ボタン１４３および戻るボタン１４４も配置されている。自動調整ボタン１４３は、露出ポイントを自動調整する場合に、利用者によってタッチ操作される。戻るボタン１４４は、編集画面１００（図１５）に戻る場合に、利用者によってタッチ操作される。
【０１４１】
利用者は、図１７に示す露出度設定画面１４０において、露出度設定部（数字）を変更することで、目標とする露出度を手動で調整することができる。具体的には、例えば、現在、すべての登場人物の目標値が「２０％」であるが、「あらたくん」の人物画像の露出度を他の登場人物の２倍に設定したい場合、利用者が「あらたくん」の人物画像Ｐ１の下方の露出度設定部を「３３％」に手動で変更することで、画像出力受付端末１の制御部３１（露出度調整部９７）は、他の人物画像の露出度を「１６．６％」に変更する。画像出力受付端末１の制御部３１（露出ポイント算出部９６）は、その利用者の変更指示を検知し、露出ポイントを再計算する。
【０１４２】
また、利用者は、図１７に示す露出度設定画面１４０において、人物画像リスト１４１の中から１人または複数の人物画像を選択し、自動調整ボタン１４３をタッチ操作することで、露出ポイントを自動で調整することができる。
具体的には、例えば、露出ポイントの高い「だいごくん」の名前が付された人物画像Ｐ２が選択され、自動調整ボタン１４３がタッチ操作された場合、画像出力受付端末１の制御部３１（露出ポイント算出部９６）は、「だいごくん」の人物画像の露出ポイントが低くなるように、フォトブックに配置済みの画像を交換したり、あるいは、サイズ調整したりして露出ポイントを再計算することができる。
また、例えば、露出ポイントの低い「りきくん」の名前が付された人物画像Ｐ５が選択され、自動調整ボタン１４３がタッチ操作された場合、画像出力受付端末１の制御部３１（露出ポイント算出部９６）は、「りきくん」の人物画像の露出ポイントが高くなるように、ポートレイト処理を行う画像編集を指示することができる。画像出力受付端末１の制御部３１（通常編集部９８）は、「りきくん」の名前が付された人物画像Ｐ５として認識されている画像データであって、フォトブックのいずれかのページに配置済みの全ての画像データに対して、図５に示すポートレイト処理を実行することができる。
【０１４３】
以上のような操作によって、画像出力受付端末１の制御部３１（自動レイアウト部９４）は、編集画面１００のレイアウト情報を更新する。
【０１４４】
図１４の説明に戻る。画像出力受付端末１の制御部３１（露出度調整部９７）は、利用者により、露出度設定画面１４０（図１７参照）で自動調整ボタン１４３が選択されたことを検知したか否かを判定する（ステップＳ２１２）。
検知した場合（ステップＳ２１２のＹｅｓ）、画像出力受付端末１の制御部３１（露出度調整部９７）は、ステップＳ２１３に進み、上述したようにして指定された登場人物の露出ポイントの自動調整を行う。
【０１４５】
画像出力受付端末１の制御部３１（露出度調整部９７）は、利用者により、露出度設定画面１４０（図１７参照）で自動調整ボタン１４３が選択されたことを検知できず、個別ポイント確認画面１２０または露出度設定画面１４０の表示が所定時間経過したと判定した場合（ステップＳ２１２のＮｏ）、ステップＳ２０９に戻り、上述した処理を繰り返し実行する。
なお、個別ポイント確認画面１２０の戻るボタン１３１、または露出度設定画面１４０の戻るボタン１４４がタッチ操作された場合にも、ステップＳ２０９に戻る。
【０１４６】
画像出力受付端末１の制御部３１（編集部６４）は、利用者により、図１５に示す編集画面１００で、個別ポイント確認ボタン１１０または露出度設定ボタン１１１が選択されたことを検知できず、編集画面１００の表示が所定時間経過したと判定した場合（ステップＳ２１０のＮｏ）には、ステップＳ２１４に進む。
【０１４７】
以上のようなフォトブックの登場人物の露出調整を含む編集作業を行った後、利用者によって、印刷実行が指示されると、画像出力受付端末１の制御部３１（印刷実行部６６）は、印刷対象のレイアウトデータを印刷データに変換し、印刷データをプリンタ４８に送信し、印刷を指示する。印刷された印刷物は、製本機５０に搬送され、所定の製本方法で製本され、図示せぬフォトブック取出口から排出され、フォトブックとして利用者に提供される。
【０１４８】
以上、第２の実施形態によれば、複数の人物が登場するフォトブックにおいて、目的の人物の画像データに対して、図５に示すポートレイト処理を施すことによって、目的の人物にピントが合った画像に編集することができ、これにより目的の人物の画像データの写真ポイントを上げることができる。従って、同じ満足感を与えるフォトブックを簡単に編集することができる。
【０１４９】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される
【符号の説明】
【０１５０】
１………画像出力受付端末
１１………タッチパネル付ディスプレイ
３０………コンピュータ
３１………制御部
３２………記憶部
４１………各種メディア読取部
４４………モニタ
６７………編集項目選択画面
６８………入力画像リスト
７２ｃ………ポートレイトボタン
７５………ポートレイト編集画面
８４………プレビュー画像確認画面
【図１】
2014010788.tif 000003
【図２】
2014010788.tif 000004
【図３】
2014010788.tif 000005
【図４】
2014010788.tif 000006
【図５】
2014010788.tif 000007
【図６】
2014010788.tif 000008
【図７】
2014010788.tif 000009
【図８】
2014010788.tif 000010
【図９】
2014010788.tif 000011
【図１２】
2014010788.tif 000012
【図１３】
2014010788.tif 000013
【図１４】
2014010788.tif 000014
【図１５】
2014010788.tif 000015
【図１６】
2014010788.tif 000016
【図１７】
2014010788.tif 000017
【図１０】
2014010788.tif 000018
【図１１】
2014010788.tif 000019